(57)【特許請求の範囲】
【請求項１】
プリントパターンを有する制御基板と、一方の面が開口した箱状のケース体と、このケース体の開口面側に組合わさるカバー体とを有し、該カバー体にビス挿通用の挿通孔を貫設し、前記ケース体とカバー体の間にカバー体側にプリントパターンを向けた状態にして制御基板を収容すると共に前記カバー体の挿通孔にビスを通してケース体側にねじ込むことにより両者を結合し得るようにした制御基板収納ボックスにおいて、
ねじ込み操作用の工具と係合し得る頭部と、該頭部の下面に形成した係合部と、該係合部の下面に形成した鋸刃形状の係合面と、係合部の中心に突設したねじ部と、を有する不正防止用のビスと、
前記ビスの係合部の係合面に当接する座金部と、その座金部に穿設した前記ねじ部挿通用の挿通孔と、座金部に設けられ前記ビスの係合面に対し反ねじ込み方向の回転にのみ引っ掛かる鋸刃形状の係合面と、座金部の外側に突設した弾性変形可能なアーム部と、該アーム部に設けられ前記制御基板に爪先を立てる破損爪と、を有する破損リングと、を備え、
前記ビスの係合部と制御基板の間に破損リングを座金状に装着すると共に破損リングの破損爪を制御基板のプリントパターンの近傍部位に係着させ、この状態でビスをねじ込み方向に回転させることにより、ケース体にカバー体を締め付けると共に破損リングの破損爪を制御基板に押し付けるようになし、
この状態でビスを反ねじ込み方向に回転させた場合に、ビスの係合面と破損リングの係合面とが引っ掛かって破損リングを反ねじ込み方向に回転させ、この回転により破損爪の爪先で制御基板のプリントパターンが破損されるようにしたことを特徴とするパチンコ機の制御基板収納ボックス。
【発明の詳細な説明】
【０００１】
【産業上の利用分野】
この発明は、パチンコ機の制御基板収納ボックスに関する。
【０００２】
【従来の技術】
従来より、制御基板の不正改造、例えば不正ＲＯＭの交換を防止するために、制御基板を収納する制御基板収納ボックスには様々な工夫が施されているが、一般的にはカバー体をケース体にビス止めして固定し、その上で両者間に封印シールを貼り付けておくことにより、カバー体の開放そのものを禁止して制御基板の不正改造を防止するとともに、万一カバー体が開けられて不正改造が行われた場合には、封印シールが切断されていることから容易に不正行為が行われた事実を発見できるようにしていた。
【０００３】
【発明が解決しようとする課題】
しかしながら、上記従来の方法では、封印シールさえ剥がせばカバー体を開けることができるので、比較的容易に制御基板の不正改造を行うことができてしまうという問題があり、また、不正改造後、封印シールを巧妙に再度貼り付ければ、不正改造の事実を発見することも困難になってしまうという問題があった。
【０００４】
そこで、本発明は、制御基板の不正改造をより確実に防止し得るパチンコ機における制御基板収納ボックスを提供することを目的とする。
【０００５】
【課題を解決するための手段】
プリントパターンを有する制御基板と、一方の面が開口した箱状のケース体と、このケース体の開口面側に組合わさるカバー体とを有し、該カバー体にビス挿通用の挿通孔を貫設し、前記ケース体とカバー体の間にカバー体側にプリントパターンを向けた状態にして制御基板を収容すると共に前記カバー体の挿通孔にビスを通してケース体側にねじ込むことにより両者を結合し得るようにした制御基板収納ボックスにおいて、
ねじ込み操作用の工具と係合し得る頭部と、該頭部の下面に形成した係合部と、該係合部の下面に形成した鋸刃形状の係合面と、係合部の中心に突設したねじ部と、を有する不正防止用のビスと、
前記ビスの係合部の係合面に当接する座金部と、その座金部に穿設した前記ねじ部挿通用の挿通孔と、座金部に設けられ前記ビスの係合面に対し反ねじ込み方向の回転にのみ引っ掛かる鋸刃形状の係合面と、座金部の外側に突設した弾性変形可能なアーム部と、該アーム部に設けられ前記制御基板に爪先を立てる破損爪と、を有する破損リングと、を備え、
前記ビスの係合部と制御基板の間に破損リングを座金状に装着すると共に破損リングの破損爪を制御基板のプリントパターンの近傍部位に係着させ、この状態でビスをねじ込み方向に回転させることにより、ケース体にカバー体を締め付けると共に破損リングの破損爪を制御基板に押し付けるようになし、
この状態でビスを反ねじ込み方向に回転させた場合に、ビスの係合面と破損リングの係合面とが引っ掛かって破損リングを反ねじ込み方向に回転させ、この回転により破損爪の爪先で制御基板のプリントパターンが破損されるようにしたパチンコ機の制御基板収納ボックスを提供する。
【０００６】
上記構成によれば、カバー体を開けると制御基板のパターンが切断されてその機能が破壊されるので、不正なＲＯＭに交換しても制御基板は機能せず、従ってパチンコ機は正常に作動しない。
【０００７】
【発明の実施の形態】
次に、本発明の一実施形態を図１〜図１６に基づいて説明する。パチンコ機において、制御基板収納ボックスＢは、遊技盤の裏面に組付けられる図示しない裏カバーに取外し可能に結合されて遊技盤の後側に設置される。
【０００８】
制御基板収納ボックスＢは、図１〜図３に示すように制御基板３が内部に装入された状態で垂直状に設置されて合成樹脂材で後方開放の浅箱状に成形されたケース体１と、制御基板３をその背後から覆って制御基板３の下端縁付近および一方の側縁付近を外部に露出した状態でケース体１に重ね合わされてケース体１の後側に設置され、透明な合成樹脂材で前方開放の箱型状に成形されたカバー体２とによって形成されている。
【０００９】
図４に示すようにケース体１にはその前端に垂立された前壁板４と、この前壁板４の周縁部に制御基板３を包囲した状態で一体状に連接されて後方へ突出された周壁部５とが形成され、制御基板３は前壁板４の後面に凸設された突片４ａにねじ止めされてケース体１内に密嵌状に嵌め込まれている。
【００１０】
ケース体１の周壁部５の内壁面には、制御基板３の周縁部を支える段部５ａが段差状に形成されている。
【００１１】
ケース体１の周壁部５の左右側面には、ケース体１を支持する図示しない１対の支持部材の孔部に係合する上下１対の係合片７がそれぞれ凸設されている。
【００１２】
ケース体１の周壁部５には、この周壁部５のうち、制御基板３の下端縁付近にこの下端縁に沿って取付けられてカバー体２の外部に露出された複数個のコネクタ３０〜３０から最も離れた上壁部と、制御基板３の一方の側縁付近にこの側縁に沿って取付けられてカバー体２の外部に露出された電源用コネクタ３１およびヒューズ３２から最も離れた一方の側壁部とにわたって各コネクタ３０，３１およびヒューズ３２を避けた状態で設置されて制御基板３の後面の後方へ突出された前突き合わせ壁８が形成されている。
【００１３】
前突き合わせ壁８は、制御基板３の上端縁に沿って水平状に設置された横壁板８ａと、制御基板３の他方の側縁に沿って垂直状に設置された縦壁板８ｂとが直交状に連接されて形成されている。
【００１４】
前突き合わせ壁８の後端には、同一垂直平面内に配置された前合わせ面９が形成されている。
【００１５】
ケース体１の前突き合わせ壁８の上面（図４において下面）には、カバー体２をケース体１に固定するためのビス３３ａ（図１参照）がねじ込まれる結合突片３３が突設されている。
【００１６】
また、前突き合わせ壁８には、その横壁部８ａの両端付近および縦壁部８ｂの下端付近にそれぞれ配設された３個の係止部１０が形成され、この各係止部１０には後端縁が前合わせ面９に整合されかつ先端縁が前合わせ面９の若干前方に配設されて前突き合わせ壁８の内壁面に整合された爪片１０ａが突出形成されている。
【００１７】
前突き合わせ壁８には各係止部１０の前側にそれぞれ隣設された３個の孔部８ｃが形成されている。
【００１８】
前突き合わせ壁８には前合わせ面９に一体状に連接されて後方へ水平状に突出され、各係止部１０の近傍にそれぞれ配設された３個のピン状の位置決め突起１１が形成されている。
【００１９】
また、ケース体１の前壁板４の後面にはボス部３８が一体形成されており、このボス部３８にはねじ孔３８ａが形成されている。このねじ孔３８ａに、後述する不正防止用ビス４０が締め込まれることによっても、カバー２がケース体１に固定されるようになっている。これについては後述する。
【００２０】
次に、カバー体２には、その後端に垂立された後壁板１５と、この後壁板１５の周縁部に一体状に連接されて前方へ突出された周壁部１６とが形成されている。
【００２１】
カバー体２の後壁板１５には、横方向へ配列された複数個の放熱孔３４が開設されるとともに、後壁板１５にはその前面に連接されて前方へ突出された円筒状のスイッチ防護壁３５が形成され、このスイッチ防護壁３５内にはスイッチホルダ３６によって制御基板３に取付けられたキースイッチ３７の後部が挿入され、カバー体２をケース体１に結合すると、スイッチ防護壁３５の前端縁がスイッチホルダ３６に押し付けられる。
【００２２】
カバー体２の周壁部１６にはケース体１の前突き合わせ壁８の後側に突き合わせ状に設置された後突き合わせ壁１７が周壁部１６のうちの上壁部と一方の側壁部とにわたって形成されている。
【００２３】
後突き合わせ壁１７には前突き合わせ壁８の横壁板８ａの後側に水平状に設置された横壁板１７ａと、前突き合わせ壁８の縦壁板８ｂの後側に垂直状に設置された縦壁板１７ｂとが形成されている。
【００２４】
後突き合わせ壁１７の前端には前合わせ面９に接して重ね合わされる後合わせ面１８が形成されている。
【００２５】
後突き合わせ壁１７には後合わせ面１８に連接されてその前方へ突出され、ケース体１の各係止部１０に解離可能に係止される３個の被係止部１９が各係止部１０にそれぞれ対向して弾性曲げ変形可能に形成されている。
【００２６】
各被係止部１９の前端には後合わせ面１８の若干前方に配設されて係止部１０の爪片１０ａに解離可能に掛合される爪片１９ａがそれぞれ突設されている。
【００２７】
後突き合わせ壁１７には各係止部１０と各被係止部１９との掛合状態が解離される方向へのカバー体２の動きを位置決め突起１１と協仂して阻止してケース体１とカバー体２とを位置合わせする３個の案内部２０が各位置決め突起１１にそれぞれ対向して形成されている。
【００２８】
各案内部２０には水平な中心軸を有し、位置決め突起１１が脱出可能に嵌め合わされるガイド孔２０ａがそれぞれ凹設されている。
【００２９】
各位置決め突起１１の前部をそれぞれ後案内部２０のガイド孔２０ａ内に挿入した状態でカバー体２を前方へ押込むと、カバー体２が各位置決め突起１１および各案内部２０によって案内されて被係止部１９の曲げ弾発力に抗して前方へ直進し、前後合わせ面９，１８が接して各被係止部１９が各係止部１０に掛合する。
【００３０】
なお、前突き合わせ壁８に被係止部１９を形成し、後突き合わせ壁１７に係止部１０を形成してもよい。また、前突き合わせ壁８に案内部２０を形成し、後突き合わせ壁１７に位置決め突起１１を形成してもよい。
【００３１】
次に、図１１および図１５に示すようにカバー体２には、前記ケース体１のボス部３８に対応して円筒部２１が形成されており、この円筒部２１の底部には挿通孔２１ａが上記ボス部３８のねじ孔３８ａと同心に形成されている。円筒部２１の内径は挿通孔２１ａより大きく、従ってその底部には不正防止用ビス４０の頭部４０ａが当接される座が形成されている。
【００３２】
また、図１５によく示されているように、円筒部２１の周面にはその軸方向に沿って、かつ相互に周方向１８０°の間隔をおいて二つのストッパ柱２１ｂ，２１ｂが、同円筒部２１の下面よりもさらに所定寸法だけ下方へ突き出した状態に設けられている。両ストッパ柱２１ｂ，２１ｂの突き出し寸法は、図１１に示すようにカバー体２の組付け状態において制御基板３に当接する直前に至る寸法に設定されている。
【００３３】
不正防止用ビス４０は、図１３に示すように皿形の十字孔付き頭部４０ａと、この頭部４０ａの下面に形成された円柱形状の係合部４０ｂと、この係合部４０ｂの中心から延在されるねじ部４０ｃを有している。係合部４０ｂの下面には、締め込み方向には緩やかに傾斜し、緩め方向には同方向にほぼ直交する鋸刃形状の係合面４０ｄが形成されている。
【００３４】
このように形成された不正防止用ビス４０が、図１１に示すようにケース体１の円筒部２１およびその挿通孔２１ａに挿通され、かつ以下述べる破損リング５０の挿通孔５０ｄおよび制御基板３の挿通孔３ａに挿通されて、ケース体１のねじ孔３８ａに締め込まれることによりカバー体２がケース体１に固定される。
【００３５】
次に、上記破損リング５０について説明する。この破損リング５０は、上記したように不正防止用ビス４０の締め込みにあたって同ビス４０の係合部４０ｂと制御基板３の上面との間に介在されるもので、薄板状のばね鋼を素材として形成されている。この破損リング５０が図１４に単独で示されている。図示するようにこの破損リング５０は、不正防止用ビス４０の係合部４０ｂとほぼ同径の座金部たる円板部５０ａと、この円板部５０ａの側部２箇所からそれぞれ側方へ延在されたアーム部５０ｂ，５０ｂを有している。
【００３６】
円板部５０ａの中心には、不正防止用ビス４０が挿通される挿通孔５０ｄが形成されている。また、この円板部５０ａの上面には、不正防止用ビス４０の係合面４０ｄと同様に、不正防止用ビス４０の締め込み方向には緩やかに傾斜し、緩め方向には同方向にほぼ直交する鋸刃形状の係合面５０ｃが形成されている。
【００３７】
破損リング５０の両アーム５０ｂ，５０ｂの先端部は、それぞれ制御基板３側にほぼ直角に折り曲げられて破損爪５０ｅが形成され、その先端は鋭く尖った形状に形成されている。このため、不正防止用ビス４０が締込まれていくと、これに伴ってこの破損爪５０ｅ，５０ｅが、両アーム５０ｂ，５０ｂの弾性力により徐々に制御基板３の上面に押し付けられることとなる。
【００３８】
なお、上記破損リング５０は、ばね鋼を素材として形成した場合を例示したが、その他合成樹脂の一体成形により両アーム５０ｂ，５０ｂに弾性力を付与する構成であってもよく、要は不正防止用ビス４０の締め込みにより破損爪５０ｅ，５０ｅが制御基板３の上面に弾性的に押し付けられる構成であればよい。
【００３９】
次に、図１〜図３に示すようにカバー体２の周縁３箇所には、不正改造防止用の封印シールを貼り付けるための封印シール貼り付け部２３〜２３が設けられている。同貼り付け部２３の周囲には突条２３ａが形成されており、これにより貼り付けた封印シール（図示省略）の端部を遮蔽することにより、一旦貼り付けた封印シールを簡単には剥がせないようになっている。
【００４０】
以上のように構成された本実施形態によれば、ケース体１に制御基板３をセットし、これに被せるようにしてカバー体２を位置させ、この状態で前記ビス３３ａに加えて不正防止用ビス４０を締め込み、かつ封印シールを所定の部位に貼り付けることによりケース体１とカバー体２との内部に制御基板３が収納され、この状態で当該制御基板収納ボックスＢがパチンコ機の裏面に設置される。
【００４１】
上記不正防止用ビス４０を締め込んでいくと、図１１に示すようにその係合面４０ｄが破損リング５０の係合面５０ｃと噛み合う。この噛合い状態でさらに締め込み方向に回転させると、両係合面４０ｄ，５０ｃは締め込み方向には緩やかに傾斜しているので、同ビス４０が単独で締め込まれ、破損リング５０は回転しない。
【００４２】
なお、不正防止用ビス４０の締め込みに先立って、図１２に示すように予め破損リング５０の両アーム５０ｂ，５０ｂが、ケース２側のストッパ柱２１ｂ，２１ｂに対してビス締め込み方向（図中矢印Ａ方向）から当接された状態（図中実線で示す状態）にセットしておくことにより、同ビス４０の締め込み時における破損リング５０の回転が確実に防止されるようになっている。
【００４３】
これに対して、不正防止用ビス４０を緩め方向（図中矢印Ｂ方向）に回転させると、両係合面４０ｄ，５０ｃが緩め方向に対して直角に形成されているので、同ビス４０と破損リング５０が回転について一体化され、従って同ビス４０とともに破損リング５０も矢印Ｂ方向に回転する。
【００４４】
このように、一旦締め込まれた不正防止用ビス４０を緩めると、破損リング５０が一体で回転するため、図示するように両破損爪５０ｅ，５０ｅにより制御基板３の上面に形成されたプリントパターンＰ等が傷付けられ（図中、符号Ｄで示した部分）、これにより制御基板３がその機能を破壊される。
【００４５】
しかも、破損リング５０が矢印Ｂ方向に回転して、もう一方のストッパ柱２１ｂにビス緩め方向から当接されることにより（図中二点鎖線で示す状態）、当該破損リング５０はそれ以上矢印Ｂ方向に回転することができず、このため両係合面４０ｄ，５０ｃの噛合いにより回転について一体化された不正防止用ビス４０も緩め方向に回転させることが不能となり、結果的にカバー体２をケース体１から取り外すことができない。
【００４６】
このように、一旦不正防止用ビス４０を締め込んで、ケース体１にカバー体２を固定した後に、この不正防止用ビス４０を緩めると、制御基板３のプリントパターンが傷付けられてその機能が破壊されてしまうので、その後万一制御基板３の不正改造等が行われたしても、パチンコ機は正常に作動せず、従って不正な遊技は確実に防止される。
【００４７】
しかも、不正防止用ビス４０は緩め方向にほぼ１８０°回した時点で、それ以上緩め方向に回せなくなってしまうことから、カバー体２を外すことは極めて困難であり、この点でも制御基盤３の不正改造が確実に防止される。
【００４８】
なお、当局の立ち入り検査等の場合において、カバー体２を正当な理由の下に外したい場合には、図１および図１１に示すようにカバー体２の円筒部２１の周囲には、同一円周上わずかづつ間隔をおいて複数（図では４個で例示した）の円弧形状のスリット２２〜２２が形成されているので、各スリット２２，２２間をすべて切断すれば、不正防止用ビス４０を締め込んだままカバー体２を簡単に外すことができるようになっている。
【００４９】
不正改造の目的でスリット２２，２２間を切断した場合には、これを目視により簡単に発見することができ、この意味において間接的に不正改造の防止を図ることができる。
【００５０】
また、カバー体２の円筒部２１にストッパ柱２１ｂ，２１ｂを設けることにより、ビス締め込み時における破損リング５０の回転を阻止する構成を例示したが、上記ストッパ柱２１ｂ，２１ｂに代えて、例えば図１６に示すように制御基板３の上面にビス締め込み方向（図中矢印Ａ方向）に徐々に深くなる円弧形状の溝部３ｂを設け、この溝部３ｂに破損リング５０の破損爪５０ｅを嵌め込ませることにより、同破損リング５０のビス締め込み方向の回転を阻止することができる。溝部３ｂは、図示するように一方の破損爪５０ｅに対してのみ形成する他、双方の破損爪５０ｅ，５０ｅに対して形成してもよい。予め、破損爪５０ｅをこの溝部３ｂに嵌め込んだ状態にセットしておけば、破損リング５０を回転させることなく不正防止用ビス４０のみを締め込むことができる。
【００５１】
また、ストッパ柱２１ｂを設けた場合には、前記したように不正防止用ビス４０を緩めることができなかったが、かかる構成によれば、溝部３ｂはビス緩め方向（図中矢印Ｂ方向）に徐々に浅くなっているので、不正防止用ビス４０を完全に緩めることができる。但し、この場合にも制御基板３のプリントパターンＰが破損爪５０ｅ，５０ｅにより傷付けられる点は同じである。
【００５２】
続いて、本実施形態ではケース体１の周壁部５には制御基板３の端縁付近に取付けられてカバー体２の外部に露出されたコネクタ３０，３１を避けた位置に配設された前突き合わせ壁８を形成し、カバー体２の周壁部１６には前突き合わせ壁８の後側に突き合わせ状に設置される後突き合わせ壁１７を形成し、後突き合わせ壁１７には前突き合わせ壁８に設けた係止部１０に前後合わせ面９，１８から離れた位置で弾発力によって解離可能に係止される被係止部１９を設けるとともに、前突き合わせ壁８には後突き合わせ壁１７に設けた案内部２０に嵌め合わされて係止部１０と被係止部１９との掛合状態が解離される方向へのカバー体２の動きを阻止する位置決め突起１１が設けられている。
【００５３】
このため、カバー体２をケース体１に重ね合わせるときにカバー体２が案内部２０と位置決め突起１１とによって案内されて被係止部１９の弾発力に抗して直進するので、カバー体２の逃げ挙動をなくして係止部１０と被係止部１９とを円滑に掛合させ、カバー体２をケース体１に容易に係止することができるとともに、係止部１０と被係止部１９とが掛合した状態ではこの掛合状態が解離される方向へのカバー体２の逃げ挙動を案内部２０と位置決め突起１１とによって阻止することができるので、係止部１０と被係止部１９との掛合状態を強化および安定化することができる。
【００５４】
また、ケース体１とカバー体２との相対位置を案内部２０と位置決め突起１１とによって常に規正してカバー体２をケース体１に係止することができる。
【００５５】
さらに、係止部１０と被係止部１９とが制御基板３の配線用電気部品を避けた位置で掛合するので、制御基板３への配線を係止部１０および被係止部１９によって阻害されずに行うことができる。
【図面の簡単な説明】
【図１】  本発明の一実施形態を示し、制御基板収納ボックスの正面図である。
【図２】  図１のＸ１−Ｘ１線矢視図であって、ケース体およびカバー体の分解状態の平面図である。制御基板３は図示されていない。
【図３】  ケース体およびカバー体の結合状態の平面図である。
【図４】  図２のＸ２−Ｘ２線矢視図であって、ケース体の正面図である。
【図５】  図２のＸ３−Ｘ３線矢視図であって、カバー体の内面図である。
【図６】  図４のＸ４−Ｘ４線矢視図である。
【図７】  図２のＸ５−Ｘ５線断面図である。
【図８】  図３のＸ６−Ｘ６線断面図である。
【図９】  図２のＸ７−Ｘ７線断面図である。
【図１０】  図３のＸ８−Ｘ８線断面図である。
【図１１】  図１のＸ９−Ｘ９線矢視図である。
【図１２】  図１１のＸ１２−Ｘ１２線矢視図であって、破損リングの動作を示す図である。
【図１３】  不正防止ビス４０を示す図であり、（Ａ）は側面図、（Ｂ）はＸ１０矢視図である。
【図１４】  破損リングを示す図であり、（Ａ）は正面図、（Ｂ）は側面図である。
【図１５】  ボス２１を示す図であり、（Ａ）は側面図、（Ｂ）はＸ１１矢視図である。
【図１６】  破損リング５０のビス締め込み方向の回転を阻止するための溝部を示す図であり、（Ａ）は平面図、（Ｂ）は（Ａ）のＸ１３−Ｘ１３線断面図である。
【符号の説明】
１…ケース体
２…カバー体
３…制御基板
２１ａ…挿通孔
４０…不正防止用ビス
４０ａ…頭部
４０ｂ…係合部
４０ｃ…ねじ部
４０ｄ…係合面
５０…破損リング
５０ａ…円板部（座金部）
５０ｂ…アーム部
５０ｃ…座金部の係合面
５０ｄ…座金部の挿通孔
５０ｅ…破損爪
Ｐ  …プリントパターン
Ｂ  …制御基板収納ボックス
【図１】
0004032143.tif 000002
【図２】
0004032143.tif 000003
【図３】
0004032143.tif 000004
【図４】
0004032143.tif 000005
【図５】
0004032143.tif 000006
【図６】
0004032143.tif 000007
【図７】
0004032143.tif 000008
【図８】
0004032143.tif 000009
【図９】
0004032143.tif 000010
【図１０】
0004032143.tif 000011
【図１１】
0004032143.tif 000012
【図１２】
0004032143.tif 000013
【図１３】
0004032143.tif 000014
【図１４】
0004032143.tif 000015
【図１５】
0004032143.tif 000016
【図１６】
0004032143.tif 000017